(57)【要約】【課題】洗濯槽を軸線方向に沿って大きくしても、利用者は洗濯槽の底側に手が届き、洗濯物の出し入れが容易である洗濯機を得る。【解決手段】この発明に係る洗濯機１は、筐体２と、筐体２の内部に回転可能に設けられ、内部に洗濯物が収納可能な有底筒形状の洗濯槽５とを備え、洗濯槽５には、洗濯槽５の反底面から側面に渡って、洗濯物の出し入れが可能な洗濯槽開口部５ａが形成されており、筐体２には、洗濯槽５が停止したときの洗濯槽開口部５ａと対向した位置に筐体開口部２ａが形成されており、洗濯槽５には、洗濯槽開口部５ａの側面側を開閉する洗濯槽開閉蓋６が設けられ、筐体２には、筐体開口部２ａを開閉する筐体開閉蓋１６が設けられている。【選択図】図１
2008154942.tif 000002
【特許請求の範囲】
【請求項１】
筐体と、
前記筐体の内部に回転可能に設けられ、内部に洗濯物が収納可能な有底筒形状の洗濯槽とを備えた洗濯機において、
前記洗濯槽には、前記洗濯槽の反底面から側面に渡って、前記洗濯物の出し入れが可能な洗濯槽開口部が形成されており、
前記筐体には、前記洗濯槽が停止したときの前記洗濯槽開口部と対向した位置に筐体開口部が形成されており、
前記洗濯槽または前記筐体には、前記洗濯槽開口部の側面側を開閉する洗濯槽開閉蓋が設けられ、
前記筐体には、前記筐体開口部を開閉する筐体開閉蓋が設けられていることを特徴とする洗濯機。
【請求項２】
前記洗濯槽開口部の縁部および前記洗濯槽開閉蓋の縁部の少なくとも一方には、前記洗濯槽開口部を閉じたときに洗濯槽内部の水が外部へ移動するのを防ぐ弾性体が設けられていることを特徴とする請求項１に記載の洗濯機。
【請求項３】
前記筐体開口部の縁部および前記筐体開閉蓋の縁部の少なくとも一方には、前記筐体開口部を閉じたときに前記筐体内部の水が外部へ移動するのを防ぐ弾性体が設けられていることを特徴とする請求項１または請求項２に記載の洗濯機。
【請求項４】
前記洗濯槽の回転停止時における最高水位より上側の前記洗濯槽開閉蓋には、開閉可能な第２の洗濯槽開閉蓋が設けられていることを特徴とする請求項１ないし請求項３の何れか１項に記載の洗濯機。
【請求項５】
前記洗濯槽の回転停止時における最高水位より上側の前記筐体開閉蓋には、開閉可能な第２の筐体開閉蓋が設けられていることを特徴とする請求項１ないし請求項４の何れか１項に記載の洗濯機。
【請求項６】
前記筐体の内側であって、前記洗濯槽の外側には、内部に貯水可能な外槽がさらに設けられ、
前記外槽には、前記洗濯槽が停止したときの前記洗濯槽開口部と対向する位置に外槽開口部が形成されていることを特徴とする請求項１ないし請求項５の何れか１項に記載の洗濯機。
【請求項７】
前記外槽または前記筐体には、前記外槽開口部を開閉する外槽開閉蓋が設けられ、
前記外槽開口部の縁部および前記外槽開閉蓋の縁部の少なくとも一方には、前記外槽開閉蓋を閉じたときに前記外槽の内部の水が外部へ移動するのを防ぐ弾性体が設けられていることを特徴とする請求項６に記載の洗濯機。
【請求項８】
前記洗濯槽の回転停止時における最高水位より上側の前記外槽開閉蓋には、開閉可能な第２の外槽開閉蓋が設けられていることを特徴とする請求項７に記載の洗濯機。
【請求項９】
前記洗濯槽開閉蓋には、前記洗濯槽の高速回転時の回転ぶれを抑制するバランサが設けられていることを特徴とする請求項１ないし請求項８の何れか１項に記載の洗濯機。
【請求項１０】
前記洗濯槽開閉蓋は、前記筐体開閉蓋に回転可能に保持されていることを特徴とする請求項１ないし請求項９の何れか１項に記載の洗濯機。
【請求項１１】
前記洗濯槽開閉蓋は、前記外槽開閉蓋に回転可能に保持されていることを特徴とする請求項６ないし請求項９の何れか１項に記載の洗濯機。
【発明の詳細な説明】
【技術分野】
【０００１】
この発明は、筐体と、この筐体の内部に回転可能に設けられ、内部に洗濯物が収納可能な円筒形状の洗濯槽とを備えた洗濯機に関する。
【背景技術】
【０００２】
従来、筐体と、この筐体の内部に設けられ、水平からおよそ３０度傾斜した回転軸を中心に回転可能な有底円筒形状で、内部に洗濯物が収納可能な洗濯槽とを備え、前記筐体には、前記洗濯槽の端面に形成された洗濯槽開口部と対向した位置に筐体開口部が形成された洗濯機が知られている（例えば、特許文献１参照）。
【０００３】
【特許文献１】特開２００５−１２４７６４号公報
【発明の開示】
【発明が解決しようとする課題】
【０００４】
しかしながら、このものの場合、洗濯物の収納量を増やすために、洗濯槽を軸線方向に沿って大きくすると、利用者は、洗濯槽の底側まで手が届かなくなってしまい、洗濯物の出し入れが困難となってしまうという問題点があった。
【０００５】
この発明は、上述のような問題点を解決することを課題とするものであって、その目的は、洗濯槽を軸線方向に沿って大きくしても、利用者は洗濯槽の底側に手が簡単に届き、洗濯物の出し入れが容易である洗濯機を提供するものである。
【課題を解決するための手段】
【０００６】
この発明に係る洗濯機は、筐体と、前記筐体の内部に回転可能に設けられ、内部に洗濯物が収納可能な有底筒形状の洗濯槽とを備えた洗濯機において、前記洗濯槽には、前記洗濯槽の反底面から側面に渡って、前記洗濯物の出し入れが可能な洗濯槽開口部が形成されており、前記筐体には、前記洗濯槽が停止したときの前記洗濯槽開口部と対向した位置に筐体開口部が形成されており、前記洗濯槽または前記筐体には、前記洗濯槽開口部の側面側を開閉する洗濯槽開閉蓋が設けられ、前記筐体には、前記筐体開口部を開閉する筐体開閉蓋が設けられている。
【発明の効果】
【０００７】
この発明に係る洗濯機によれば、洗濯槽を軸線方向に沿って大きくしても、利用者は洗濯槽の底側に手が簡単に届き、洗濯物の出し入れが容易である。
【発明を実施するための最良の形態】
【０００８】
以下、この発明の各実施の形態を図に基づいて説明するが、各図において、同一または相当の部材、部位については、同一符号を付して説明する。
実施の形態１．
図１は実施の形態１に係る洗濯機１の全体を示す斜視図、図２は図１の洗濯機１の平面図、図３は図１の洗濯機１の部分側面図、図４（ａ）は図３の筐体開閉蓋１６を閉じたときのＡ部を拡大した断面図、図４（ｂ）は図４（ａ）の筐体開閉蓋１６を開けたときを示す図である。
実施の形態１に係る洗濯機１は、いわゆる縦型洗濯機であり、直方体形状の筐体２と、この筐体２の内部に固定され、内部に貯水可能な有底円筒形状の外槽３と、この外槽３の内部に設けられ、垂直方向に沿った回転軸線４を中心に回転可能な有底円筒形状で内部に洗濯物が収納可能な洗濯槽５とを備えている。
洗濯槽５には、底面と反対側にある面である反底面の上面の全域と、上面から側面の一部に渡って開口され、洗濯物の出し入れ可能な洗濯槽開口部５ａが形成されている。
筐体２の上面および側面には、洗濯槽５が停止したときの洗濯槽開口部５ａと対向した位置に開口された筐体開口部２ａが形成されている。
外槽３の上面および側面には、洗濯槽５が停止したときの洗濯槽開口部５ａと対向した位置に開口された外槽開口部３ａが形成されている。
洗濯槽５が停止したときに、洗濯槽開口部５ａ、筐体開口部２ａおよび外槽開口部３ａは、それぞれ重なるように配置されており、洗濯槽５に対する洗濯物の出し入れが容易にできるようになっている。
洗濯機１には、洗濯槽開口部５ａを、筐体開口部２ａおよび外槽開口部３ａと一致させるための図示しない定位置停止手段が設けられている。
この定位置停止手段は、洗濯槽５に設けられた反射板と、洗濯槽５に向かって赤外線を照射して、洗濯槽５の反射板から反射された赤外線を受ける赤外線センサと、この赤外線センサからの電気信号により洗濯槽５の回転位相を制御する制御部と、外槽３に設けられ、制御部により押し出されることで洗濯槽５の邪魔板と衝突し、洗濯槽５の回転を停止させる突起部とを有している。
なお、定位置停止手段は、後述する回転駆動部１０に設けられ回転駆動部１０内のモータの回転位相を検知および制御する制御部であってもよい。
【０００９】
洗濯槽５には、洗濯槽開口部５ａを開閉する洗濯槽開閉蓋６が設けられている。この洗濯槽開閉蓋６は、洗濯槽５の上面の洗濯槽開口部５ａを覆う洗濯槽開閉蓋上面部６ａと、洗濯槽５の側面の洗濯槽開口部５ａを覆う洗濯槽開閉蓋側面部６ｂとを有している。洗濯槽開閉蓋上面部６ａと洗濯槽５との間には、図示しない蝶番が設けられ、洗濯槽開閉蓋６は開閉自在となっている。また、洗濯槽開閉蓋上面部６ａと洗濯槽開閉蓋側面部６ｂと間には、図示しない蝶番が設けられ、洗濯槽開閉蓋６は折りたたみ可能となっている。
洗濯槽開閉蓋６を折りたたみ可能とすることで、洗濯槽開閉蓋６の開閉半径を小さくすることができる。
洗濯槽開閉蓋上面部６ａの中心部（後述する槽付バランサ７ｂの内側全面）には、洗濯物の出し入れが可能な大きさの貫通した孔６ｃが設けられている。
【００１０】
洗濯槽開閉蓋上面部６ａには、洗濯槽５の高速回転時の回転ブレを抑制する円環状の蓋付バランサ７ａが取付けられ、洗濯槽５の内面側には、槽付バランサ７ｂが取付けられている。バランサを分割することで、蓋付バランサ７ａの小型化、軽量化を図っている。
なお、蓋付バランサ７ａおよび槽付バランサ７ｂは、洗濯槽５の外面側に取付けてもよい。外面側に取付けることで、洗濯物を出し入れするための開口をより広く確保することができる。
【００１１】
洗濯槽５の底面には、回転軸線４を中心に回転する底部攪拌翼８が取付けられており、この底部攪拌翼８には、洗濯槽５および外槽３の底面を貫通し、回転可能な回転駆動軸９が連結され、この回転駆動軸９には、外槽３の底面の外側に設けられ、回転駆動軸９を回転させる回転駆動部１０が接続されている。
回転駆動軸９と外槽３との間は、回転駆動軸９が回転しても、外槽３内の水がもれないように密着されている。
回転駆動軸９は二重構造になっており、内側が底部攪拌翼８と連結されて、底部攪拌翼８を回転させ、外側が洗濯槽５と連結されて、洗濯槽５を回転させる。
回転駆動部１０には、回転駆動軸９を回転させるモータ（図示せず）と、回転駆動軸９の内側または外側のどちらかを回転させるようにまたは両方を同方向へあるいは逆方向へ回転させるように切換え、ならびに、洗濯槽５の回転を低速または高速のどちらにするかを切換えるための、ギアおよびクラッチが設けられている。
なお、回転速度の切換えは、ギアおよびクラッチを用いず、例えばインバータによるモータの周波数制御によって行ってもよい。
【００１２】
外槽３は、筐体２の上面の四隅に固定された外槽支持材１１が底部に連結されており、筐体２内で吊り下げられている。
外槽支持材１１は、ワイヤーで構成されており、洗濯槽５の回転により生じる振動が筐体２へ伝わるのを低減させることができる。なお、外槽支持材１１の中間、外槽支持材１１と外槽３との間または外槽支持材１１と筐体２との間に、バネ等の弾性体を設けると、洗濯槽５の回転により生じる振動が筐体２へ伝わるのを一層低減させることができる。
【００１３】
外槽３の上部と筐体２の上部との間には、外槽３の上部と筐体２の上部との間に水および洗濯物が入り込むのを防ぐ外槽筐体間上部カバー１２ａが設けられ、外槽３の側面に形成された外槽開口部３ａの端面と筐体２の側面に形成された筐体開口部２ａの端面との間には、水および洗濯物が入り込むのを防ぐ外槽筐体間正面カバー１２ｂが設けられている。
外槽筐体間上部カバー１２ａおよび外槽筐体間正面カバー１２ｂは、ゴムでできており、洗濯槽５の回転開始または回転停止のときに、洗濯槽５とともに外槽３が振動しても、筐体２に振動が伝達するのを防ぐ。なお、外槽筐体間上部カバー１２ａおよび外槽筐体間正面カバー１２ｂはゴム以外でもよく、外槽３の振動を吸収できる弾性体であればよい。
【００１４】
洗濯槽５の側面および洗濯槽開閉蓋側面部６ｂには、図示しない通水孔が多数形成されている。この通水孔により、脱水時には、洗濯槽５を高速回転させ、遠心力により洗濯槽５から外槽３へと水を移動させる。
【００１５】
筐体２の底面には、外槽３内の水を洗濯機１の外側へ排水する排水管１４が連結され、この排水管１４の先端は、筐体２の底面に設けられた排水口１３と連結されている。排水管１４の中間には、排水管１４の内部を開閉するバルブ１５が設けられており、バルブ１５の開閉により、外槽３内を貯水し、および、外槽３内から排水する。
【００１６】
筐体２には、筐体開口部２ａを開閉する筐体開閉蓋１６が設けられている。この筐体開閉蓋１６は、筐体２の上面の筐体開口部２ａを覆う筐体開閉蓋上面部１６ａと、筐体２の側面の筐体開口部２ａを覆う筐体開閉蓋側面部１６ｂとを有している。筐体開閉蓋上面部１６ａと筐体２との間には、図示しない蝶番が設けられ、筐体開閉蓋１６は開閉自在となっている。また、筐体開閉蓋上面部１６ａと筐体開閉蓋側面部１６ｂとの間には、図示しない蝶番が設けられ、筐体開閉蓋１６は折りたたみ可能となっている。
筐体開閉蓋１６を折りたたみ可能とすることで、筐体開閉蓋１６の開閉半径を小さくすることができる。
筐体開口部２ａの縁部と筐体開閉蓋側面部１６ｂの縁部との間には、筐体開口部２ａを閉じた際に、筐体２と筐体開閉蓋側面部１６ｂとの間を水が通過するのを防ぐ弾性体１７が設けられている。
弾性体１７を挟んで筐体開閉蓋側面部１６ｂと当接する筐体２には、弾性体１７の両側面を挟むようにガイド部２ｂが設けられ、密閉性を一層向上させている。
これにより、筐体開口部２ａの最下部を、洗濯槽５の回転停止時における最高水位２１より下側に配置することができる。その結果、洗濯槽５への洗濯物の出し入れが容易となる。
【００１７】
図５（ａ）〜５図（ｃ）は、フック部１８と突起部１９とのロック構造を示す説明図である。筐体開閉蓋側面部１６ｂには、回転軸１８ａを中心に回転可能なフック部１８が設けられ、筐体２には、フック部１８を回転させることで、フック部１８を係止する回転可能な突起部１９が設けられている。
筐体２と筐体開閉蓋１６との間の弾性体１７を押しつぶすようにして、筐体開閉蓋１６を筐体２と接触させたまま、フック部１８を突起部１９に係止させると、弾性体１７の反発力により、フック部１８と突起部１９との間の摩擦が大きくなる。
なお、フック部１８および突起部１９には、互いに接触する面に、歯合する歯合部を設け、さらに突起部１９を一方向にのみ回転可能となるようにロック構造を設け、ロックを解除することで、フック部１８が突起部１９から外すことができるようにしてもよい。
【００１８】
洗濯槽開閉蓋上面部６ａに設けられた孔６ｃに合わせて、筐体開閉蓋上面部１６ａには、図示しない蝶番を介して、楕円形状の第２の筐体開閉蓋２０が開閉可能に設けられている。この第２の筐体開閉蓋２０は、洗濯槽５の最高水位２１より上側にあるので、洗濯槽５内で洗濯物を洗濯中であっても、第２の筐体開閉蓋２０から洗濯物を出し入れすることができる。
特に、洗濯槽５が回転中であっても第２の筐体開閉蓋２０を開けて洗濯物を洗濯槽５内へ追加投入することが可能である。
【００１９】
次に、実施の形態１に係る洗濯機１の動作について説明する。
利用者は、洗濯機１の筐体開閉蓋１６と洗濯槽開閉蓋６とを開き、筐体開口部２ａ、外槽開口部３ａおよび洗濯槽開口部５ａから洗濯物を洗濯槽５へ入れる。
このとき、筐体開口部２ａ、外槽開口部３ａおよび洗濯槽開口部５ａは、全て対向して配置され、さらに、上面から側面まで開口されているので、洗濯槽５へ洗濯物を容易に入れることができる。
洗濯物を入れた後、筐体開閉蓋１６および洗濯槽開閉蓋６を閉めて、洗濯を開始すると、洗濯槽５を低速回転させることで、回転駆動部１０は、トルクの変化から洗濯槽５内の洗濯物の量を検知し、バルブ１５を閉めた後、図示しない給水口から外槽３内へ必要な量だけ給水される。
外槽３への給水後、回転駆動部１０により、底部攪拌翼８を回転させて、外槽３内の水および洗濯槽５内の洗濯物を同時に攪拌する。
所定時間経過後には、回転駆動部１０は、底部攪拌翼８の回転方向を反転させる。
なお、洗濯槽５を底部攪拌翼８とは反対方向に回転させることで、洗濯物を一層攪拌させることができる。
このとき、第２の筐体開閉蓋２０を開けて、洗濯物を追加して洗濯槽５内に入れることができる。
さらに所定時間経過すると、バルブ１５を開いて、外槽３内を排水する。
その後、再び外槽３内に貯水し、すすぎ行程を行い、すすぎ行程の後は、脱水行程を行う。
【００２０】
以上説明したように、実施の形態１に係る洗濯機１を用いると、筐体２、外槽３および洗濯槽５には、上面および側面の一部に、連続して筐体開口部２ａ、外槽開口部３ａおよび洗濯槽開口部５ａが形成されているので、洗濯槽５への洗濯物の出し入れが容易となる。
また、洗濯槽５への洗濯物の収納容量を増やすために、洗濯槽５を軸線方向に沿って大きくしても、洗濯物の出し入れの容易性を確保することができる。
【００２１】
また、筐体開口部２ａの縁部と筐体開閉蓋側面部１６ｂの縁部との間には、筐体開口部２ａを閉じたときに、筐体２内部の水が外部へ移動するのを防ぐ弾性体１７が設けられているので、洗濯槽開口部５ａを、洗濯槽５内の最高水位２１より下側まで開口させることができる。
【００２２】
また、最高水位２１より上側にある筐体開閉蓋上面部１６ａには、第２の筐体開閉蓋２０が設けられているので、洗濯中であっても、第２の筐体開閉蓋２０から洗濯槽５内へ洗濯物を入れることができる。
【００２３】
また、筐体２の内側であって、洗濯槽５の外側には、内部に貯水可能な外槽３が設けられているので、洗濯槽５および洗濯槽開閉蓋側面部６ｂに複数の貫通孔を設けて、洗濯槽５を高速回転させて脱水を行うことができる。
【００２４】
また、洗濯槽開閉蓋６には、洗濯槽５の高速回転時の回転ぶれを抑制する蓋付バランサ７ａが設けられているので、洗濯槽開口部５ａが上面から側面に渡って開口されており、槽付バランサ７ｂを洗濯槽５の上側に設けることができなくても、洗濯槽５の回転ブレを抑制することができる。
【００２５】
なお、実施の形態１に係る洗濯機１は、洗濯のみを行う洗濯機１について説明したが、温風を生成するヒータと、温風中の水分を凝縮するため温風を冷却する熱交換器とを備え、洗濯に加え洗濯物を乾燥させる洗濯乾燥一体型の洗濯機１であってもよい。
【００２６】
実施の形態２．
図６は、実施の形態２に係る洗濯機１の部分側面図、図７は図６の洗濯機１の平面図である。
洗濯槽開閉蓋６は、筐体開閉蓋１６に取り付けられた回転軸２２に回転可能に設けられており、筐体開閉蓋１６により筐体開口部２ａを閉じると、洗濯槽開閉蓋６により洗濯槽開口部５ａが閉まる。この状態では、筐体開閉蓋１６の回転軸２２は、洗濯槽５の回転軸線４と同一直線上にある。
洗濯槽開閉蓋６は、回転軸２２に対して、軸線方向に沿って移動可能である。洗濯槽開閉蓋６と筐体開閉蓋１６との間に設けられたバネ２３により、洗濯槽開閉蓋６は、筐体開閉蓋１６から離れる方向に付勢されている。これにより、洗濯槽５が上下方向に振動しても、その振動が筐体２へ伝達されるのを低減させることができる。
また、回転軸２２は、弾性を有しており、洗濯槽５が水平方向に振動しても、その振動が筐体２へ伝達されるのを低減させることができる。
【００２７】
筐体開閉蓋上面部１６ａには、第２の筐体開閉蓋２０が開閉可能に設けられており、洗濯槽開閉蓋上面部６ａには、第２の筐体開閉蓋２０と対向して第２の洗濯槽開閉蓋２４が開閉可能に設けられている。
第２の筐体開閉蓋２０および第２の洗濯槽開閉蓋２４を開くことで、洗濯途中であっても、洗濯槽５へ洗濯物の出し入れを行うことができる。
その他の構成は実施の形態１と同様である。
【００２８】
実施の形態２に係る洗濯機１によると、洗濯槽開閉蓋６は、筐体開閉蓋１６に回転可能に保持されているので、筐体開閉蓋１６を開閉すると同時に洗濯槽開閉蓋６を開閉することができるので、新たに洗濯槽開閉蓋６を開閉する手間を省くことができる。
【００２９】
また、最高水位２１より上側にある洗濯槽開閉蓋上面部６ａには、第２の洗濯槽開閉蓋２４が設けられているので、洗濯中であっても、第２の洗濯槽開閉蓋２４から洗濯槽５内へ洗濯物を入れることができる。
【００３０】
実施の形態３．
図８は、実施の形態３に係る洗濯機１の全体斜視図である。
洗濯槽開口部５ａは、洗濯槽５の上面の正面側半分から側面に渡って形成されている。
筐体開口部２ａおよび外槽開口部３ａは、洗濯槽開口部５ａと対向するように、上面のうち、正面側半分と、側面の一部に形成されている。
筐体２には、筐体開口部２ａを開閉する筐体開閉蓋１６が設けられ、洗濯槽５には、洗濯槽開口部５ａを開閉する洗濯槽開閉蓋６が設けられている。
筐体開口部２ａおよび洗濯槽開口部５ａの上面側の開口面積が小さくなっているので、筐体開閉蓋１６および洗濯槽開閉蓋６の上面側も、それぞれ小さくなっている。
その他の構成は実施の形態１と同様である。
【００３１】
実施の形態３に係る洗濯機１によると、筐体開閉蓋１６および洗濯槽開閉蓋６を開けたときに、実施の形態１に係る洗濯機１と比較して、筐体開閉蓋１６および洗濯槽開閉蓋６の高さを低く抑えることができ、洗濯機１を配置するのに必要な空間を小さくすることができる。
【００３２】
実施の形態４．
図９は実施の形態４に係る洗濯機１の側面図、図１０は図９の洗濯槽５および洗濯槽開閉蓋６を示す斜視図である。
実施の形態４に係る洗濯機１は、いわゆるドラム式洗濯機であり、有底円筒形状の洗濯槽５が、水平方向に沿った回転軸線４を中心に回転可能となっている。
洗濯槽５には、洗濯槽５の反底面の上側半分と、反底面の上側半分から側面に渡って洗濯槽開口部５ａが形成されている。
洗濯槽５の外側には、直方体形状の筐体２が設けられており、筐体２には、洗濯槽開口部５ａと対向して筐体開口部２ａが形成されている。
洗濯槽５の底面には、回転駆動軸９が設けられ、この回転駆動軸９の先端は、洗濯槽５の外側に突出し、洗濯槽５を回転させる回転駆動部１０が接続されている。
洗濯槽５の内面には、図示しない凹凸部が複数設けられており、洗濯槽５内の水および洗濯物を攪拌することができる。
筐体２の内側であって、洗濯槽５の外側には、有底円筒形状の外槽３が、回転軸線４に沿って設けられている。
【００３３】
筐体２には、筐体開口部２ａを開閉する筐体開閉蓋１６が設けられ、洗濯槽５には、洗濯槽開口部５ａを開閉する洗濯槽開閉蓋６が設けられている。
洗濯槽開閉蓋６は、洗濯槽５の反底面の洗濯槽開口部５ａを覆う洗濯槽開閉蓋反底面部６ｄと、洗濯槽５の側面の洗濯槽開口部５ａを覆う洗濯槽開閉蓋側面部６ｂとを有し、洗濯槽開閉蓋反底面部６ｄと洗濯槽５との間には、図示しない蝶番が設けられ、洗濯槽開閉蓋６は開閉自在となっている。
筐体開閉蓋１６は、洗濯槽５の反底面側の筐体開口部２ａを覆う筐体開閉蓋反底面部１６ｃと、洗濯槽５の側面側の筐体開口部２ａを覆う筐体開閉蓋側面部１６ｂとを有し、筐体開閉蓋反底面部１６ｃと筐体２との間には、図示しない蝶番が設けられ、筐体開閉蓋１６は開閉自在となっている。筐体開閉蓋反底面部１６ｃと筐体開閉蓋側面部１６ｂとの間にも図示しない蝶番が設けられ、筐体開閉蓋１６は折りたたみ可能となっている。
【００３４】
洗濯槽開閉蓋側面部６ｂであって、洗濯槽５の上部には、第２の洗濯槽開閉蓋２４が図示しない蝶番を介して開閉可能に設けられている。
筐体開閉蓋１６には、第２の洗濯槽開閉蓋２４と対向した位置に第２の筐体開閉蓋２０が設けられている。
第２の筐体開閉蓋２０および第２の洗濯槽開閉蓋２４を用いて、洗濯中であっても、洗濯槽５内に洗濯物を入れることができる。
その他の構成は、実施の形態１と同様である。
【００３５】
実施の形態４に係る洗濯機１によると、いわゆるドラム式洗濯機において、筐体２、外槽３および洗濯槽５には、反底面と側面の一部とに、連続して筐体開口部２ａ、外槽開口部３ａおよび洗濯槽開口部５ａが形成されているので、洗濯槽５への洗濯物の出し入れが容易となる。
【００３６】
なお、上記各実施の形態では、筐体開閉蓋１６と筐体２との間に弾性体１７を設けることで、筐体開口部２ａの内部から外部へ水が移動するのを防ぐ洗濯機１について説明したが、勿論このものに限らず、外槽開口部３ａを覆う外槽開閉蓋を設け、さらに、外槽開口部３ａの縁部と外槽開閉蓋の縁部との間に弾性体を設けることで、外槽３の内部から外部へ水が移動するのを防ぐ洗濯機１であってもよい。この場合、最高水位２１より上側の外槽開閉蓋に第２の外槽開閉蓋を設けることで、洗濯中であっても、外槽開閉蓋から洗濯槽５内へ洗濯物を入れることができる。
【００３７】
また、上記各実施の形態では、外槽３を備えた洗濯機１について説明したが、勿論このものに限らず、外槽３を備えず、洗濯槽５の側面には、貫通した孔を形成せず、洗濯槽５内に貯水される洗濯機１であってもよい。この場合、洗濯槽開口部５ａの縁部と洗濯槽開閉蓋６の縁部との間に弾性体を設けることで、洗濯槽５の内部から外部へ水が移動するのを防いでもよい。
またこの場合、洗濯槽５の内面に凹凸部を形成し、脱水時には凹部に水が流れるようにしたり、洗濯槽５の内面に通水孔が形成された板を貼り付けて、脱水時に水が流れるようにしたりしてもよい。
さらにまた、排水管１４は洗濯槽５の回転駆動軸９内を通って洗濯槽５に接続したり、回転停止時に最下部となる洗濯槽５の端部に排水口１３およびバルブ１５を設け、洗濯槽５の周囲には、排水口１３から排出される水を受け止める排水受けを設けたりしてもよい。
【００３８】
また、上記各実施の形態では、回転駆動部１０を回転軸線４上に備えた洗濯機１について説明したが、回転駆動部１０を回転軸線４上からずらし、回転駆動軸９への動力の伝達を、ベルトなどを用いて行う洗濯機１であってもよい。
【００３９】
また、実施の形態２では、洗濯槽開閉蓋６が、筐体開閉蓋１６に回転可能に設けられた洗濯機１について説明したが、外槽開口部３ａを覆う外槽開閉蓋を設け、洗濯槽開閉蓋６が、外槽開閉蓋に回転可能に設けられた洗濯機１であってもよい。
【図面の簡単な説明】
【００４０】
【図１】実施の形態１に係る洗濯機の全体を示す斜視図である。
【図２】図１の洗濯機１の平面図である。
【図３】図１の洗濯機１の部分側面図である。
【図４】図４（ａ）は図３の筐体開閉蓋を閉じたときのＡ部を拡大した図、図４（ｂ）は図４（ａ）の筐体開閉蓋を開けたときを示す図である。
【図５】図５（ａ）はフック部と突起部とが係合する前を示す筐体開閉蓋側面部と筐体とを示す図、図５（ｂ）は図５（ａ）のフック部と突起部とが係合する途中を示す図、図５（ｃ）は図５（ａ）のフック部と突起部とが係合した後を示す図である。
【図６】実施の形態２に係る洗濯機の部分側面図である。
【図７】図６の洗濯機１の平面図である。
【図８】実施の形態３に係る洗濯機の全体斜視図である。
【図９】実施の形態４に係る洗濯機の側面図である。
【図１０】図９の洗濯槽および洗濯槽開閉蓋を示す斜視図である。
【符号の説明】
【００４１】
１  洗濯機、２  筐体、２ａ  筐体開口部、２ｂ  ガイド部、３  外槽、３ａ  外槽開口部、４  回転軸線、５  洗濯槽、５ａ  洗濯槽開口部、６  洗濯槽開閉蓋、６ａ  洗濯槽開閉蓋上面部、６ｂ  洗濯槽開閉蓋側面部、６ｃ  孔、６ｄ  洗濯槽開閉蓋反底面部、７ａ  蓋付バランサ、７ｂ  槽付バランサ、８  底部攪拌翼、９  回転駆動軸、１０  回転駆動部、１１  外槽支持材、１２ａ  外槽筐体間上部カバー、１２ｂ  外槽筐体間正面カバー、１３  排水口、１４  排水管、１５  バルブ、１６  筐体開閉蓋、１６ａ  筐体開閉蓋上面部、１６ｂ  筐体開閉蓋側面部、１６ｃ  筐体開閉蓋反底面部、１７  弾性体、１８  フック部、１８ａ  回転軸、１９  突起部、２０  第２の筐体開閉蓋、２１  最高水位、２２  回転軸、２３  バネ、２４  第２の洗濯槽開閉蓋。
【図１】
2008154942.tif 000003
【図２】
2008154942.tif 000004
【図３】
2008154942.tif 000005
【図４】
2008154942.tif 000006
【図５】
2008154942.tif 000007
【図６】
2008154942.tif 000008
【図７】
2008154942.tif 000009
【図８】
2008154942.tif 000010
【図９】
2008154942.tif 000011
【図１０】
2008154942.tif 000012